(57)【要約】【課題】アナログ放送電波停波日の経過後、不要となったアナログ放送用ユーザインターフェイスを自動的に非表示とすることで、利用者に過度の負担を強いずに、利用者にとって利用しやすいメニュー画面などを提供することを課題とする。【解決手段】上記課題を解決するために、本発明の放送受信装置では、日時判断部を有しており、日時判断部がデジタルユニットなどより取得する年月日時間情報に基づいてアナログ放送電波停波日を経過したかどうかの判断を行う。そして、当該判断に従い制御部が表示部での処理を制御することで自動的に非表示とすることを実現する。【選択図】          図３
2008301229.tif 000002
【特許請求の範囲】
【請求項１】
地上アナログ放送停波予定日時を経過したか判断する日時判断部と、
アナログ放送用ユーザインターフェイスを表示するためのアナログＩ／Ｆ情報を含むＩ／Ｆ情報を保持するＩ／Ｆ情報保持部と、
Ｉ／Ｆ情報の全部又は一部を利用してユーザインターフェイスを表示可能な表示部と、
日時判断部での判断結果が「経過した」との判断結果である場合にはＩ／Ｆ情報保持部中のＩ／Ｆ情報に含まれるアナログＩ／Ｆ情報に基づいたアナログ放送用ユーザインターフェイスが表示部にて表示されないように制御する制御部と、
を有する放送受信装置。
【請求項２】
制御部の前記表示されないようにする制御を無効にする無効化部を有する請求項１に記載の放送受信装置。
【請求項３】
日時判断部での前記判断を行なわせないようにする判断停止部を有する請求項１に記載の放送受信装置。
【請求項４】
制御猶予期間情報を保持する制御猶予期間情報保持部を有し、
制御部は、
日時判断部での判断結果が経過したとの判断結果である場合には、その経過した時点から制御猶予期間情報保持部に保持された制御猶予期間が経過するまで前記表示がされないようにする制御を実行しない猶予手段を有する請求項１から３のいずれか一に記載の放送受信装置。
【請求項５】
日時判断部、制御部を構成するためのプログラムをダウンロードするダウンロード部と、
ダウンロードされたプログラムをインストールして、日時判断部、制御部を構成するインストール部と、
を有する請求項１から４のいずれか一に記載の放送受信装置。
【請求項６】
アナログ放送用ユーザインターフェイスを表示するためのアナログＩ／Ｆ情報を含むＩ／Ｆ情報を保持する放送受信装置であって、
地上アナログ放送停波予定日時を経過したか判断する日時判断ステップと、
Ｉ／Ｆ情報の全部又は一部を利用してユーザインターフェイスを表示可能な表示ステップと、
日時判断部での判断結果が経過したとの判断結果である場合にはＩ／Ｆ情報保持部中のＩ／Ｆ情報に含まれるアナログＩ／Ｆ情報に基づいたアナログ放送用ユーザインターフェイスが表示部にて表示されないように表示部を制御する制御ステップと、
を有する放送受信装置の動作方法。
【請求項７】
制御猶予期間情報を保持する放送受信装置であって、
制御ステップでは、
日時判断ステップでの判断結果が経過したとの判断結果である場合には、その経過した時点から制御猶予期間情報保持部で保持された制御猶予期間が経過するまで前記表示されないようにする制御を実行しない猶予サブステップを有する請求項６に記載の放送受信装置の動作方法。
【発明の詳細な説明】
【技術分野】
【０００１】
本発明は、デジタル放送用チューナとアナログ放送用チューナの両方を搭載した放送受信装置に関する。
【背景技術】
【０００２】
日本のテレビ放送は、１９９６年９月よりＣＳデジタル放送が開始され、次いで、２０００年１２月よりＢＳデジタル放送が開始された。また、２００３年１２月より、地上デジタルテレビジョン放送が開始され、更に、２００４年より移動体向け衛星放送が開始されている。
【０００３】
このような中で、国は従来の放送形式であるアナログ放送からデジタル放送に完全に切り替えることを決定し、地上波アナログ放送、ＢＳアナログ放送の電波は２０１１年７月に停波することを法令で定めている。
【０００４】
これらの放送を受信する放送受信装置としては、アナログ放送をみるためのアナログ放送用チューナのみを搭載したものや、デジタル放送をみるためのデジタル放送用チューナのみを搭載したものがあるが、ＣＳデジタル放送が開始された１９９６年前後からは、アナログ放送用チューナとデジタル放送用チューナの両方を搭載したテレビが相当数出回っている。このようなテレビは、テレビ画面に映し出されたメニュー画面の案内などにより、利用者がアナログ放送、デジタル放送のいずれかを選択し、選択したそれぞれの放送形式においてチャンネル設定や映像設定などを行い、テレビ放送を楽しむものである。
【０００５】
しかし、前記の通りアナログ放送の電波は２０１１年７月に完全に停波されることが決定しており、アナログ放送の電波が停波された後はアナログ放送用メニュー項目などのアナログ放送用ユーザインターフェイスは全く必要のないものとなる。
【０００６】
それにも関わらず、アナログ放送用ユーザインターフェイスを継続して表示されていると、利用者が誤ってアナログ放送用ユーザインターフェイスを選択してしまう可能性がある。当該誤操作が起きると、アナログ放送の電波は完全に停波されているため、利用者は全く映像を視聴できないなどの状況が生じる。かかる場合、機械知識に乏しい利用者は、放送受信装置が故障したと誤認してしまい、メーカーのお客様相談室へ電話などにより問い合わせると考えられる。当該事態は、アナログ放送用電波が停波されたことに起因して起きるものであり、日本全国一斉に起こりうる。すなわち、かかる問題に対するお客様相談室への問い合わせが殺到すると予想される。
【０００７】
当該不都合を防止する為の手段としては、特許文献１のように、あらかじめ設けられているユーザインターフェイスの中から、必要な項目のみを選択し、自分専用のユーザインターフェイスを設定保存しておいて、例えば、メニュー設定などの操作が必要な時は前記保存したユーザインターフェイスを呼び出し、当該ユーザインターフェイスの案内により設定作業を行うというものがある。
【０００８】
これにより、アナログ放送の電波停波後は、デジタル放送用ユーザインターフェイスのみによるユーザインターフェイスを作成することで、アナログ放送用ユーザインターフェイスを全く非表示とすることができ、利用者の誤操作を防止することが可能となる。  
【特許文献１】特願２００１−５８６９１６
【発明の開示】
【発明が解決しようとする課題】
【０００９】
しかしながら、特許文献１に記載の発明では、アナログ放送用ユーザインターフェイスをユーザインターフェイスに表示しないようにするためには、必ず利用者がデジタル放送用ユーザインターフェイスのみによるユーザインターフェイスを作成する必要がある。すたわち、当該作業を行わない限り、ユーザインターフェイスにはアナログ放送用ユーザインターフェイスがいつまでも表示されることとなる。また、利用者がデジタル放送用ユーザインターフェイスのみによるユーザインターフェイスを作成するにあたり、利用者はそれぞれの項目がデジタル放送に必要なものかどうかを十分に理解する必要がある。このように、特許文献１に記載の発明は、利用者に過度の負担を強いるものである。
【００１０】
そこで、本発明では、アナログ放送電波停波日の経過後、不要となったアナログ放送用ユーザインターフェイスを自動的に非表示とすることを課題とする。これにより、利用者に過度の負担を強いずに、利用者にとって利用しやすいユーザインターフェイスを提供することが可能となる。
【課題を解決するための手段】
【００１１】
上記課題を解決するための手段として、以下の発明を提供する。
【００１２】
第一発明では、地上アナログ放送停波予定日時を経過したか判断する日時判断部と、アナログ放送用ユーザインターフェイスを表示するためのアナログＩ／Ｆ情報を含むＩ／Ｆ情報を保持するＩ／Ｆ情報保持部と、Ｉ／Ｆ情報の全部又は一部を利用してユーザインターフェイスを表示可能な表示部と、日時判断部での判断結果が経過したとの判断結果である場合にはＩ／Ｆ情報保持部中のＩ／Ｆ情報に含まれるアナログＩ／Ｆ情報に基づいたアナログ放送用ユーザインターフェイスが表示部にて表示されないように表示部を制御する制御部と、を有する放送受信装置を提供する。
【００１３】
第二発明では、前記第一発明であって、さらに、制御部の前記表示されないようにする制御を無効にする無効化部を有する放送受信装置を提供する。
【００１４】
第三発明では、前記第一発明であって、さらに、日時判断部での前記判断を行なわせないようにする判断停止部を有する放送受信装置を提供する。
【００１５】
第四発明では、前記第一発明から第三発明のうちの一つであって、さらに、制御猶予期間情報を保持する制御猶予期間情報保持部を有し、制御部は、日時判断部での判断結果が経過したとの判断結果である場合には、その経過した時点から制御猶予期間情報保持部に保持された制御猶予期間が経過するまで前記表示されないようにする制御を実行しない猶予手段を有する放送受信装置を提供する。
【００１６】
第五発明では、前記第一発明から第四発明のうちの一つであって、さらに、日時判断部、制御部を構成するためのプログラムをダウンロードするダウンロード部と、ダウンロードされたプログラムをインストールして、日時判断部、削除部を構成するインストール部と、
を有する放送受信装置を提供する。
【００１７】
第六発明では、アナログ放送用ユーザインターフェイスを表示するためのアナログＩ／Ｆ情報を含むＩ／Ｆ情報を保持する放送受信装置であって、地上アナログ放送停波予定日時を経過したか判断する日時判断ステップと、Ｉ／Ｆ情報の全部又は一部を利用してユーザインターフェイスを表示可能な表示ステップと、日時判断部での判断結果が経過したとの判断結果である場合にはＩ／Ｆ情報保持部中のＩ／Ｆ情報に含まれるアナログＩ／Ｆ情報に基づいたアナログ放送用ユーザインターフェイスが表示ステップにて表示されないように表示ステップを制御する制御ステップと、を有する放送受信装置の動作方法を提供する。
【００１８】
第七発明では、前記第六発明であって、さらに、制御猶予期間情報を保持し、制御ステップでは、日時判断ステップでの判断結果が経過したとの判断結果である場合には、その経過した時点から制御猶予期間情報で示される制御猶予期間が経過するまで前記表示されないようにする制御を実行しない猶予サブステップを有する放送受信装置の動作方法を提供する。
【発明の効果】
【００１９】
本発明により、アナログ放送を見るためのアナログ放送用チューナとデジタル放送を見るためのデジタル放送用チューナの両方を搭載したテレビなどの放送受信装置において、アナログ放送電波停波日以降に、不要となったアナログ放送用ユーザインターフェイスを自動的にディスプレイ上で非表示とすることができる。これにより、利用者に過度の負担を強いずに、利用者にとって利用しやすいユーザインターフェイスを提供することが可能となる。  
【発明を実施するための最良の形態】
【００２０】
以下本発明を実施するための最良の形態について、図面を用いて詳細に説明する。なお、本発明はこれら実施の形態になんら限定されるものではなく、その要旨を逸脱しない範囲において種々なる態様で実施しうる。
なお、以下の実施形態と請求項の関係は次のとおりである。実施形態１は主として請求項１、６などについて説明する。実施形態２は主として請求項２などについて説明する。実施形態３は主として請求項３などについて説明する。実施形態４は主として請求項４、７などについて説明する。実施形態５は、主として請求項５などについて説明する。
<<実施形態１>>
<実施形態１の概要>
【００２１】
本実施形態の放送受信装置は、アナログ放送用電波の停波後に、不要となったアナログ放送用ユーザインターフェイスを、自動的にディスプレイ上で非表示とする機能を有することを特徴とする。
【００２２】
図１の概念図は、アナログ放送用ユーザインターフェイスを自動的に非表示としたことによる効果を示す一例である。これは、アナログ放送用ユーザインターフェイスのうちメニュー画面を例にとったものである。図に示すように、この放送受信装置はアナログ放送とデジタル放送の放送形式を選択可能である。利用者は当該メニュー画面の案内に従って、アナログ放送、デジタル放送のいずれかを選択することとなる。そして、選択したそれぞれの放送形式において必要な設定を行い、テレビ放送を楽しむ。
【００２３】
しかし、前記の通り、２０１１年にアナログ放送の電波は完全に停波される。それに伴い、前記メニュー画面のうちアナログ放送用ユーザインターフェイスは全く不要なものになる。それにも関わらず、不要となったアナログ放送用ユーザインターフェイスを表示し続けると、利用者が誤って選択するなどの誤操作を誘発する。
【００２４】
そこで、本実施形態の放送受信装置は、図に示すように、アナログ放送電波の停波後に、自動的にメニュー画面上のアナログ放送用ユーザインターフェイスを非表示とする。これにより、利用者がアナログ放送用ユーザインターフェイスを選択不能となり、誤操作を防止できる。
<実施形態１の機能的構成>
【００２５】
図２は、本実施形態の放送受信装置の機能ブロックの一例を表す図である。この図にあるように本実施例の「放送受信装置」（０２００）は、「日時判断部」（０２０１）と、「Ｉ／Ｆ情報保持部」（０２０２）と、「表示部」（０２０３）と、「制御部」（０２０４）を有する。「放送受信装置」としては、一般的家庭用テレビの他、携帯型テレビ（携帯電話も含む）、カーナビ用ＴＶなどが挙げられる。
【００２６】
なお、以下に記載する本装置の機能ブロックは、ハードウェア、ソフトウェア、またはハードウェア及びソフトウェアの両方として実現され得る。具体的には、コンピュータを利用するものであれば、ＣＰＵやＲＡＭ、バス、あるいは二次記憶装置（ハードディスクや不揮発性メモリ、ＣＤ−ＲＯＭやＤＶＤ−ＲＯＭなどの記憶メディアとそれらメディアの読取ドライブなど）、印刷機器や表示装置、その他の外部周辺装置などのハードウェア構成部やその外部周辺機器用のＩ／Ｏポート、それらハードウェアを制御するためのドライバプログラムやその他アプリケーションプログラム、情報入力に利用されるユーザインターフェイスなどが挙げられる。
【００２７】
またこれらハードウェアやソフトウェアは、ＲＡＭ上に展開したプログラムをＣＰＵで演算処理したり、メモリやハードディスク上に保持されているデータや、インターフェイスを介して入力されたデータなどを加工、蓄積、出力処理したり、あるいは各ハードウェア構成部の制御を行ったりするために利用される。また、この発明は装置として実現できるのみでなく、方法としても実現可能である。また、このような発明の一部をソフトウェアとして構成することができる。さらに、そのようなソフトウェアをコンピュータに実行させるために用いるソフトウェア製品、及び同製品を記憶媒体に固定した記憶媒体も、当然にこの発明の技術的な範囲に含まれる（本明細書の全体を通じて同様である）。
【００２８】
以下、本実施形態の「日時判断部」（０２０１）、「Ｉ／Ｆ情報保持部」（０２０２）、「表示部」（０２０３）、「制御部」（０２０４）の機能について説明する。
【００２９】
「日時判断部」（０２０１）は、地上アナログ放送停波予定日時を経過したか判断するよう構成されている。日時判断部は、この判断のために地上アナログ放送停波予定日時「２０１１年７月２４日」を取得するよう構成されている。この取得は自身が保持しているものを取得することで行なわれても、外部から通信などを介して取得することで行なわれてもよい。また、日時判断部はこの判断のために現在の年月日時間情報を取得するように構成されている。現在の年月日時間情報は日時判断部が備えている時計によって出力されるものを取得しても良いし、外部から通信や放送などにより取得するようにしても良い。外部から現在の年月日時間情報を取得する一例としては、地上デジタル放送に含まれている年月日時間情報を抽出するようにし利用するように構成される場合を挙げられる。
【００３０】
そして、日時判断部は、前記地上アナログ放送停波予定日時と現在の年月日時間情報の大小関係を比較するよう構成されている。比較の結果に応じて、日時判断部は、地上アナログ放送停波予定日時を経過したか判断する。
【００３１】
更に、日時判断部は、前記判断結果が「地上アナログ放送停波予定日時を経過した」との判断結果であれば、当該情報を制御部に送るよう構成されている。当該情報をトリガーに以下で説明する制御部での処理が開始される。尚、制御部では、アナログ放送用ユーザインターフェイスが表示されないようにする処理が行われる。
【００３２】
ここで、地上アナログ放送停波予定日時を経過したか判断するための日時判断部での処理のトリガーは、利用者が放送受信装置の電源を入れるのをトリガーに行うよう構成されていてもよく、前記トリガーは特段制限されない。
【００３３】
日時判断部は、例えば、ＣＰＵ、ＲＡＭ、不揮発性メモリなどにより実現することができる。
【００３４】
具体的には、例えば、工場出荷時にHDDや不揮発性メモリなどの記憶媒体などに地上アナログ放送停波予定日時「２０１１年７月２４日」を保存しておく。そして、利用者が放送受信装置の電源を入れるとそれをトリガーに、前記情報をＲＡＭに取り出す。次に受信したデジタル放送波に含まれる年月日時間情報、例えば「２００７年４月１日」を取得する。そして、両者をＣＰＵの演算処理により大小比較する。このような処理により現時点で地上アナログ放送停波予定日時を経過したかどうか判断することができる。
【００３５】
「Ｉ／Ｆ情報保持部」（０２０２）は、Ｉ／Ｆ情報を保持するように構成されている。Ｉ／Ｆ情報は、アナログ放送用ユーザインターフェイスを表示部に表示するためのアナログＩ／Ｆ情報を含む。つまり、Ｉ／Ｆ情報保持部は、保持しているＩ／Ｆ情報を利用者から受付けるユーザインターフェイス表示命令信号に従い、表示部に渡すよう構成されている。また、後述する制御部から受けとる制御信号によって表示部に渡すＩ／Ｆ情報を選別できるように構成されていてもよい。
【００３６】
Ｉ／Ｆ情報保持部は、例えば、HDDや不揮発性メモリなどの記憶媒体やＣＰＵなどにより実現することができる。
【００３７】
「Ｉ／Ｆ情報」は、インターフェイス情報の略である。インターフェイスは利用者が放送受信装置に対して命令を伝えるための操作手段であり、また放送受信装置が利用者に対して自身の状態などの情報を伝えるための情報伝達手段でもある。「アナログＩ／Ｆ情報」とは、アナログ放送を視聴したり、アナログ放送を録画したり、アナログ放送の視聴や録画を予約したり、アナログ放送の受信を地域に応じて設定したりするために利用されるインターフェイスを表示部にて構成するための情報である。
【００３８】
より具体的に述べれば、アナログ放送のチャンネルを利用者に選択させるためのインターフェイスや、アナログ放送の録画命令を利用者から放送受信装置に伝えるためのインターフェイスや、アナログ放送の録画予約命令を利用者から放送受信装置に伝えるためのインターフェイスや、地域ごとにチャンネルボタンに対して選局されるべきアナログ放送周波数を割り当てるためのインターフェイスなどである。これらはアナログ放送が行なわれている間は利用者にとって必要な機能を提供するが、アナログ放送が行なわれなくなった後には不要な機能を提供することとなってしまう。なぜならアナログ放送が行なわれていない以上、選択して視聴するためのチャンネルはなく、また、視聴や録画の予約をして番組を視聴したり、録画したりすることもできないからである。尚、ここでのアナログ放送用ユーザインターフェイスには、アナログ放送、デジタル放送の両方で利用されるユーザインターフェイスは含まない。この両方で利用されるインターフェイスはアナログ放送が終了した後もデジタル放送などで利用可能だからである。
【００３９】
インターフェイスは通常は番組などを表示するディスプレイに表示される。従って番組などの視聴の妨げにならないように所定の操作が行なわれた場合にのみ表示されるように構成される場合が多い。例えばリモコンにインターフェイス表示のためのボタンが備えられており、利用者のリモコンなどによるメニュー画面を表示するためのこのボタン操作に応じてインターフェイスが表示される。つまり、このボタン操作に応じてＩ／Ｆ情報保持部は表示部に対してインターフェイスを構成するための情報であるＩ／Ｆ情報を渡し、表示部はこれを解釈し、組み合わせるなどしてディスプレイ上にインターフェイスを表示する。
【００４０】
組み合わせ方の一例としては各放送ごとにインターフェイス情報がブロック化されており、現在利用可能な放送のインターフェイス情報を構成するブロックを組みあわせることで全体のインターフェイスが構成される。例えば画面内に上から順に地上デジタル放送用インターフェイスブロック、ＢＳ放送用インターフェイスブロック、ＣＳ放送用インターフェイスブロック、地上アナログ放送用ユーザインターフェイスブロックが設けられており、地上アナログ放送用ユーザインターフェイスブロックに関しては制御部による制御によって地上アナログ放送停波後は文字や数字記号などは何も表示されず、バックグラウンドだけが表示されるように構成されていても良い。または、地上アナログ放送用ユーザインターフェイスブロックに新たに従来隠れていたメニューを表示するようにしても良い。さらに、地上アナログ放送用ユーザインターフェイスブロックの分を地上デジタル放送用インターフェイスブロック、ＢＳ放送用インターフェイスブロック、ＣＳ放送用インターフェイスブロック、の領域を拡大して（例えば文字、記号、数値などを従来より大きく表示する）利用するように構成されていてもよい。
【００４１】
「表示部」（０２０３）は、前記Ｉ／Ｆ情報保持部が保持しているＩ／Ｆ情報の全部または一部を利用するよう構成されている。そして、前記Ｉ／Ｆ情報を利用してユーザインターフェイスを表示することが可能であるよう構成されている。
【００４２】
すなわち、表示部は、Ｉ／Ｆ情報保持部からＩ／Ｆ情報を受けとるように構成されている。尚、表示部は、利用者のユーザインターフェイスを表示するための信号に従い、Ｉ／Ｆ情報保持部からＩ／Ｆ情報を取り出すように構成されていてもよい。かかる場合、表示部は、利用者からのユーザインターフェイス表示命令信号を受けとるよう構成されている。
前述のようにユーザインターフェイスがブロックごとに構成されるような場合には表示部は各ブロック毎に情報を受け取りまたは受け取らないでブロックごとに表示をするように構成されていても良い。例えばアナログ放送用ユーザインターフェイス情報を受け取らない場合にはアナログ放送用ユーザインターフェイスを表示しない。また将来、ＢＳ用，ＣＳ用，地上デジタル用のインターフェイス情報のいずれかがＩ／Ｆ情報保持部から渡されない場合には地上アナログ放送の場合と同様に処理するように構成されていても良い。
【００４３】
尚、表示部は、制御部から受け取る制御信号によりＩ／Ｆ情報保持部から取得したアナログＩ／Ｆ情報の全部または一部が利用できないように構成されていてもよい。この構成はＩ／Ｆ情報保持部が全てのインターフェイス情報を表示部に渡すが、実際に表示するインターフェイスのブロックを表示部側で制御するように構成されるケースである。また、制御部から受け取る制御信号によりディスプレイ上に表示されるアナログ放送用ユーザインターフェイスの全部または一部の表示情報を改変するように構成されていてもよい。
【００４４】
このような表示部は、例えば、ＣＰＵやＲＡＭなどにより実現することができる。
【００４５】
具体的には、例えば、利用者がリモコンなどにより画面上にユーザインターフェイスを表示するための操作を行うと、Ｉ／Ｆ情報保持部は表示部に対してインターフェイスを構成するための情報であるＩ／Ｆ情報を渡す。そして、表示部はこれを解釈し、組み合わせるなどしてディスプレイ上にインターフェイスを表示する。
【００４６】
「制御部」（０２０４）は、前記日時判断部での判断結果が経過したとの判断結果である場合には、表示部にてアナログ放送用ユーザインターフェイスが表示されないよう制御するように構成されている。
【００４７】
表示されないようにする制御のために、制御部は、日時判断部より地上アナログ放送停波予定日時を経過したとの情報を受けとるように構成されている。そして、受け取った「経過した」との情報に応じて前記制御を実行する。ここで制御対象としては二種類の設計がありうる。まず第一は、Ｉ／Ｆ情報保持部を制御する設計。第二は、表示部を制御する設計である。前者の設計ではＩ／Ｆ情報保持部が表示部に対して渡すインターフェイス情報を制御することでアナログ放送用ユーザインターフェイスが表示部にて表示されないようにする。後者の設計ではＩ／Ｆ情報保持部はアナログＩ／Ｆ情報を含むＩ／Ｆ情報を表示部に渡すが、表示部がその中からアナログＩ／Ｆ情報を除外してインターフェイスを表示する処理を行なう。いかに二つのケースに分けて説明をする。つまり、１制御対象がＩ／Ｆ情報保持部の場合、２制御対象が表示部の場合である。
【００４８】
<１  制御対象がＩ／Ｆ情報保持部>
【００４９】
制御部は、地上アナログ放送停波予定日時を経過したとの情報を受けとった後、利用者のユーザインターフェイス表示命令信号を受けとると、Ｉ／Ｆ情報保持部に対して、表示部にアナログＩ／Ｆ情報を渡せないようにする制御信号を送るよう構成されている。例えばＩ／Ｆ情報保持部ではアナログＩ／Ｆ情報が他の放送のインターフェイス情報と区別して格納されており、制御部からの所定の制御信号を受付けると、表示部に対してインターフェイス情報を出力するさいにアナログＩ／Ｆ情報が除外されたＩ／Ｆ情報の残りだけが出力される。
【００５０】
<２  制御対象が表示部>
【００５１】
制御部は、地上アナログ放送停波予定日時を経過したとの情報を受けとった後、利用者のユーザインターフェイス表示命令信号を受けとると、表示部に対して、アナログＩ／Ｆ情報を表示させないようにする制御信号を送るよう構成されている。例えばＩ／Ｆ情報保持部ではアナログＩ／Ｆ情報が他の放送のインターフェイス情報と区別して格納されており、制御部からの所定の制御信号を受付けると、表示部に対してアナログＩ／Ｆ情報を含むＩ／Ｆ情報を出力し、表示部はこれを受け取る。しかし、表示部が制御部から受け取る制御信号に応じてＩ／Ｆ情報に含まれているアナログＩ／Ｆ情報が除外されたＩ／Ｆ情報の残りだけをディスプレイに表示するように出力がされる。
【００５２】
<実施形態１のハードウェア構成>
【００５３】
図３は、上記機能的構成をハードウェアとして実現した際の構成の一例を表す図である。図に示すように、本放送受信装置は、日時判断部、表示部、制御部、Ｉ／Ｆ情報保持部などを構成する「CPU」（０３０１）、「ＲＡＭ」（０３０２）、「不揮発性メモリ」（０３０３）を備えている。さらに、その他「アナログチューナ部」（０３０４）や「デジタルチューナ部」（０３０５）や、「リモコン受光部」（０３０６）、「液晶表示パネル」（０３０７）などを備えている。
【００５４】
以下、図３を用いて放送受信装置の機能を簡単に説明する。
【００５５】
「デジタルチューナ部」（０３０５）で受信されたデジタル放送用電波は、「デジタル復調部」（０３０９）で変調される。そして、分離部（０３１０）で映像信号、音声信号、ＥＰＧ信号など各信号に分離される。分離された各信号は、それぞれ、「ビデオコード／キャプチャ部」（０３１１）、「オーディオデコード部」（０３１２）、「ＥＰＧ／ＯＳＤ／予約処理部」（０３１３）で復号などの処理がなされる。そして、「ビデオ出力変換部」（０３１４）、「オーディオ出力変換部」（０３１５）で出力データに変換され、「液晶表示パネル」（０３０７）、「スピーカ」（０３１６）に出力される。
【００５６】
尚、「ＡＶスイッチ部」（０３０８）でアナログ放送が選択されると、「アナログチューナ部」（０３０４）で受信されたアナログ放送用電波が「ビデオセレクタ部」（０３１７）、「オーディオセレクタ部」（０３１８）で選択される。そして、「ビデオ出力変換部」（０３１４）、「オーディオ出力変換部」（０３１５）で出力データに変換された後、「液晶表示パネル」（０３０７）、「スピーカ」（０３１６）に出力される。
【００５７】
また、「リモコン受光部」（０３０６）は、外部機器である「リモコン」（０３１９）よりの信号を受信する。そして、受信された信号は、ＣＰＵ（０３０１）などに伝えられる。その他、「通信制御部」（０３２０）は、インターネットなどに接続する機能を有する。また、「ビデオマウスマイコン」（０３２１）は、外部機器であるビデオに制御信号を送る機能を有する。さらに、「選局部」（０３２２）は、リモコン（０３１９）などによる利用者の選局を受け、必要に応じて「アナログチューナ部」（０３０４）「デジタルチューナ部」（０３０５）に信号を送る。
【００５８】
次に、図３のハードウェアで本実施形態を実現する手段の一例を説明する。
【００５９】
まず、利用者がリモコン（０３１９）などの電源ボタンを押下する。すると、リモコン受光部（０３０６）が起動信号を受信し、放送受信装置が起動する。その起動をトリガーとして、「不揮発性メモリ」（０３０３）より日時判断プログラムが「ＲＡＭ」（０３０２）のワーク領域に読み出される。「ＣＰＵ」（０３０１）はプログラムに従って、予め「不揮発性メモリ」（０３０３）に格納されている地上アナログ放送停波予定日時情報、例えば「２０１１年７月２４日」を「ＲＡＭ」（０３０２）のアドレス１に読み出す。
【００６０】
つづいて、「デジタルチューナ部」（０３０５）にて受信したデジタル放送用電波に含まれる現在の年月日時間情報を分離・抽出して、「ＲＡＭ」（０３０２）のアドレス２に格納する。そして、アドレス1に格納されている地上アナログ放送停波予定日時情報「２０１１年７月２４日」と、アドレス2に格納されている現在の年月日時間情報の大小比較を「ＣＰＵ」（０３０１）の演算処理にて行う。
【００６１】
例えば、現在の年月日時間情報が「２００７年４月１日」の場合、地上アナログ放送停波予定日時の方が大きいので、経過していないとの判断結果が出力される。そして、その判断結果に応じて、「ＣＰＵ」（０３０１）は処理を終了する。
【００６２】
一方、現在の年月日時間情報が「２０１１年７月２９日」の場合、現在の年月日時間情報の方が大きいので、経過しているとの判断結果が出力される。そして当該信号は、「不揮発性メモリ」（０３０３）に保存される。これにより、今後、利用者がリモコン（０３１９）などによりアナログ放送用ユーザインターフェイスを表示する操作を行うと、「ＣＰＵ」（０３０１）は、アナログＩ／Ｆ情報を取り出すのと同時に制御信号を送るための制御プログラムを取り出す。そして、「ＣＰＵ」（０３０１）の指示によりこれらが実行される。制御プログラムが実行され制御信号が送られると、アナログＩ／Ｆ情報に従った処理の一部または全部が実行されなくなる。すなわち、アナログ放送用ユーザインターフェイスがディスプレイ上に表示されなくなる。
<実施形態１の処理の流れ>
【００６３】
本実施形態の処理の流れの一例を図４のフローチャートに示す。
【００６４】
まず、利用者がリモコンなどにより放送受信装置の電源を入れる（Ｓ０４０１）。すると、日時判断ステップにおいて、地上アナログ放送停波予定日時を経過したか判断する（Ｓ０４０２）。
【００６５】
前記日時判断ステップでの判断が、「地上アナログ放送停波予定日時を経過していない」であれば（Ｓ０４０３）、処理は終了する。その後、利用者がアナログ放送用インターフェイスを表示するよう操作すると（Ｓ０４０４）、画面にはアナログ放送用インターフェイスが表示される（Ｓ０４０５）。
【００６６】
一方、前記日時判断ステップでの判断が、「地上アナログ放送停波予定日時を経過している」であれば（Ｓ０４０３）、制御ステップに進む。
【００６７】
制御ステップでは、前記経過しているとの情報を保存する（Ｓ０４０６）。そして、今後、表示ステップにてアナログ放送用ユーザインターフェイスを表示できないように制御する。その後、利用者がアナログ放送用インターフェイスを表示するよう操作しても（Ｓ０４０７）、画面にアナログ放送用インターフェイスは表示されない（Ｓ０４０８）。
【００６８】
このようにして、アナログ放送用ユーザインターフェイスが非表示になる。
【００６９】
尚、アナログ放送用ユーザインターフェイスを非表示にした後は、従来と異なる画面が表示されたことにより利用者が故障したと勘違いする可能性がある。そこで、アナログ放送用ユーザインターフェイスが非表示となった空白部分に一定期間「アナログ放送停波に伴いアナログ放送用ユーザインターフェイスを自動的に非表示にしました」などのアナウンスを表示してもよい。
<実施形態１の効果>
【００７０】
本実施形態の放送受信装置により、アナログ放送停波後、自動的にアナログ放送用ユーザインターフェイスを非表示とすることが可能である。これにより、利用者に過度の負担をかけずに、利用者が利用しやすいメニュー画面などを提供することが可能となる。
【００７１】
これにより、利用者がアナログ放送停波後にアナログ放送関連の設定操作を行うという誤操作を防止できる。その結果、メーカーのお客様相談室への誤操作に伴う「ナンセンスコール」を大幅に削減できることとなる。
<<実施形態２>>
<実施形態２の概要>
【００７２】
本実施形態の放送受信装置は、実施形態１の放送受信装置を基本とし、さらに、アナログ放送用ユーザインターフェイスを非表示にする機能（以下、「非表示機能」という）を無効にする機能を有する。現在、地上アナログ放送停波予定日時は、「２０１１年７月２４日」に定められている。しかし、一般家庭へのデジタル放送用放送受信装置の普及が当初見込みより遅れるなどの不測の事態が生じると、前記地上アナログ放送停波予定日時は延期される可能性がある。
【００７３】
そこで、本実施形態の放送受信装置は、前記の不測の事態などが生じることに備えて、現在定められている地上アナログ放送停波予定日時（２０１１年７月２４日）を経過した場合でも、前記非表示機能を無効にし、アナログ放送用ユーザインターフェイスをそのまま表示し続けることができる機能を備えている。
<実施形態２の機能的構成>
【００７４】
図５に本実施形態における放送受信装置の機能ブロック図の一例を示す。本実施形態における「放送受信装置」（０５００）は、「日時判断部」（０５０１）と「Ｉ／Ｆ情報保持部」（０５０２）と「表示部」（０５０３）と「制御部」（０５０４）と「無効化部」（０５０５）を有す。
【００７５】
「日時判断部」（０５０１）、「Ｉ／Ｆ情報保持部」（０５０２）、「表示部」（０５０３）、「制御部」（０５０４）の機能的構成については、実施形態１と同様であるので、ここでの詳細な説明は省略する。
【００７６】
「無効化部」（０５０５）は、制御部のアナログ放送用ユーザインターフェイスを表示しないようにする制御を無効にするよう構成されている。アナログ放送用ユーザインターフェイスは、地上アナログ放送が停波されると全く不要となる。そこで、制御部は地上アナログ放送停波予定日時（２０１１年７月２４日）を経過すると、アナログ放送用ユーザインターフェイスを非表示にするよう制御する。しかし、地上アナログ放送停波日時が予定日より延期された場合は、地上アナログ放送停波予定日時（２０１１年７月２４日）を経過してもアナログ放送用ユーザインターフェイスを使用する可能性があり、非表示にしてしまうと、利用者は操作ができず不都合である。そこで、無効化部は、前記不都合を回避するため、地上アナログ放送停波予定日時（２０１１年７月２４日）が経過しても、制御部での制御を無効にするよう構成されている。尚、無効化部は、地上アナログ放送停波予定日時（２０１１年７月２４日）が延期されたか判断できない。そこで、利用者の入力した信号または地上デジタル放送に含まれている情報などに含まれる指示信号に従って処理するよう構成されていてもよい。
【００７７】
また、無効化部は、制御部の制御を無効にするために、無効化信号を送る。当該無効化信号を送る対象としては、特段制限されず、制御部、Ｉ／Ｆ情報保持部、表示部などが挙げられる。以下、それぞれに分けて無効化信号を送ることによる効果の一例を説明する。
<１  制御部>
【００７８】
無効化部は、制御部に対して無効化信号を送るよう構成されていてもよい。制御部は、Ｉ／Ｆ情報保持部または表示部に対して制御信号を送り制御するよう構成されている。そこで、無効化部は制御部に対して無効化信号を送り、制御部が制御信号を送れないようにするよう構成されていてもよい。例えば、無効化部が制御部に制御信号を送ると、制御部は制御信号を送れなくなる。これにより、Ｉ／Ｆ情報保持部と表示部では従来通りの情報のやり取りが行われ、表示部ではアナログＩ／Ｆ情報に基づいてアナログ放送用ユーザインターフェイスが表示される。
<２  Ｉ／Ｆ情報保持部>
【００７９】
無効化部は、制御部の制御対象がＩ／Ｆ情報保持部の場合、Ｉ／Ｆ情報保持部に対して無効化信号を送るよう構成されていてもよい。かかる場合、Ｉ／Ｆ情報保持部は制御部から制御信号を受けとると、表示部に対しアナログＩ／Ｆ情報を渡せなくなるよう構成されている。そこで、無効化部は、Ｉ／Ｆ情報保持部に対し無効化信号を送り、Ｉ／Ｆ情報保持部が受けとった制御信号を無効にするよう構成されていてもよい。制御信号が無効にされると、アナログＩ／Ｆ情報は表示部に対しアナログＩ／Ｆ情報を渡せるようになり、表示部でアナログＩ／Ｆ情報に基づいてアナログ放送用ユーザインターフェイスが表示される。
<３  表示部>
【００８０】
無効化部は、制御部の制御対象が表示部の場合、表示部に対して無効化信号を送るよう構成されていてもよい。かかる場合、表示部は制御部から制御信号を受けとると、アナログＩ／Ｆ情報に従って、アナログ放送用ユーザインターフェイスを表示できなくなる。そこで、無効化部は、表示部に対し無効化信号を送り、表示部が受けとった制御信号を無効にするよう構成されていてもよい。制御信号が無効にされると、表示部はアナログＩ／Ｆ情報に従って、アナログ放送用ユーザインターフェイスを表示することができる。
【００８１】
無効化部は、例えば、ＣＰＵ、ＲＡＭ、不揮発性メモリなどにより実現することができる。
【００８２】
具体的には、例えば、本実施形態の放送受信装置は、非表示機能を「有効にする」と「無効にする」を利用者が選択可能である。「有効にする」を選択している場合は、無効化部は起動しない。一方、「無効にする」を選択している場合、当該情報を所定のアドレスに保存する。それ以降、利用者がリモコンなどによりユーザインターフェイスを表示する操作を行うと、無効化部は、所定のアドレスに「無効にする」を選択している信号が保存されている為、制御部に対し無効化信号送る。これにより、制御部は制御信号を表示部などに送れなくなる。その結果、表示部では、アナログＩ／Ｆ情報に従って、アナログ放送用ユーザインターフェイスを表示する。
<実施形態２のハードウェア構成>
【００８３】
以下、図３を用いて、本実施形態を実現する手段を説明する。
【００８４】
まず、利用者がリモコン（０３１９）などの電源ボタンを押下する。すると、リモコン受光部（０３０６）が起動信号を受信し、放送受信装置が起動する。その起動をトリガーとして、「不揮発性メモリ」（０３０３）より日時判断プログラムが「ＲＡＭ」（０３０２）のワーク領域に読み出される。「ＣＰＵ」（０３０１）はプログラムに従って、予め「不揮発性メモリ」（０３０３）に格納されている地上アナログ放送停波予定日時情報、例えば「２０１１年７月２４日」を「ＲＡＭ」（０３０２）のアドレス１に読み出す。
【００８５】
つづいて、「デジタルチューナ部」（０３０５）にて受信したデジタル放送用電波に含まれる現在の年月日時間情報を分離・抽出して、「ＲＡＭ」（０３０２）のアドレス２に格納する。そして、アドレス1に格納されている地上アナログ放送停波予定日時情報「２０１１年７月２４日」と、アドレス2に格納されている現在の年月日時間情報の大小比較を「ＣＰＵ」（０３０１）の演算処理にて行う。
【００８６】
例えば、現在の年月日時間情報が「２００７年４月１日」の場合、地上アナログ放送停波予定日時の方が大きいので、経過していないとの判断結果が出力される。その判断結果に応じて、「ＣＰＵ」（０３０１）は処理を終了する。
【００８７】
一方、現在の年月日時間情報が「２０１１年８月１日」の場合、現在の年月日時間情報の方が地上アナログ放送停波予定日時「２０１１年７月２４日」より大きいので、「経過した」との判断結果が出力され、当該情報が「不揮発性メモリ」（０３０３）の所定のアドレスに保存される。
【００８８】
ここで、利用者が、非表示機能を「有効にする」を選択している場合についてその後の処理を説明する。
【００８９】
その後、利用者がリモコン（０３１９）などによりユーザインターフェイスを表示する操作を行うと、「ＣＰＵ」（０３０１）は、「不揮発性メモリ」（０３０３）よりアナログＩ／Ｆ情報を含むＩ／Ｆ情報を取り出す。また、所定のアドレスに「経過した」との情報が保存されているため、制御プログラムを取り出す。制御プログラムが実行されると、アナログＩ／Ｆ情報に従った処理の一部または全部が実行されなくなる。よって、アナログ放送用ユーザインターフェイスが画面上に表示されなくなる。
【００９０】
一方、利用者が、非表示機能を「無効にする」を選択している場合についてその後の処理を説明する。
【００９１】
利用者が、非表示機能を「無効にする」を選択している場合、当該情報が「不揮発性メモリ」（０３０３）の所定のアドレスに保存されている。その後、利用者がリモコン（０３１９）などによりユーザインターフェイスを表示する操作を行うと、「ＣＰＵ」（０３０１）は、「不揮発性メモリ」（０３０３）よりアナログＩ／Ｆ情報を含むＩ／Ｆ情報を取り出す。また、所定のアドレスに「経過した」との情報が保存されているため、制御信号を送るための制御プログラムを取り出す。さらに、所定のアドレスに「無効にする」を選択しているとの情報が保存されているため、無効化信号を送るための無効化プログラムを取り出す。例えば、最初に無効化プログラムが実行され、無効化信号が送られる。これにより、制御プログラムは実行不能となる。よって、アナログＩ／Ｆ情報に従って、アナログ放送用ユーザインターフェイスが画面上に表示される。
<実施形態２の処理の流れ>
【００９２】
本実施形態の処理の流れの一例を図６のフローチャートに示す。
【００９３】
まず、利用者がリモコンなどにより放送受信装置の電源を入れる（Ｓ０６０１）。すると、日時判断ステップにおいて、地上アナログ放送停波予定日時を経過したか判断する（Ｓ０６０２）。
【００９４】
前記日時判断ステップでの判断が、「地上アナログ放送停波予定日時を経過していない」であれば（Ｓ０６０３）、本実施形態の処理は終了する。その後、利用者がアナログ放送用インターフェイスを表示するよう操作すると（Ｓ０６０４）、画面にはアナログ放送用インターフェイスが表示される（Ｓ０６０５）。
【００９５】
一方、前記日時判断ステップでの判断が、「地上アナログ放送停波予定日時を経過している」であれば（Ｓ０６０３）、制御ステップに進む。
【００９６】
制御ステップでは、前記地上アナログ放送停波予定日時を経過しているとの情報を保存する（Ｓ０６０６）。
【００９７】
そして、利用者が非表示機能を「有効にする」を選択している場合（Ｓ０６０７）、今後、表示ステップにてアナログ放送用ユーザインターフェイスを表示できないように制御する。その後、利用者がアナログ放送用インターフェイスを表示するよう操作しても（Ｓ０６０８）、画面にアナログ放送用インターフェイスは表示されない（Ｓ０６０９）。
【００９８】
一方、利用者が非表示機能を「無効にする」を選択している場合（Ｓ０６０７）、今後、無効化ステップにて制御ステップが無効にされる。その後、利用者がアナログ放送用インターフェイスを表示するよう操作すると（Ｓ０６０４）、画面にはアナログ放送用インターフェイスが表示される（Ｓ０６０５）。
【００９９】
尚、アナログ放送用ユーザインターフェイスを非表示にした後は、従来と異なる画面が表示されたことにより利用者が故障したと勘違いする可能性がある。そこで、アナログ放送用ユーザインターフェイスが非表示となった空白部分に一定期間「アナログ放送停波に伴いアナログ放送用ユーザインターフェイスを自動的に非表示にしました」などのアナウンスを表示してもよい。
<実施形態２の効果>
【０１００】
本実施形態の放送受信装置により、アナログ放送停波後、自動的に画面上からアナログ放送用ユーザインターフェイスを非表示とすることが可能である。これにより、利用者に過度の負担をかけずに、利用者が利用しやすいメニュー画面などを提供することが可能となる。
【０１０１】
また、本実施形態の放送受信装置は、地上アナログ放送停波予定日時が延期される場合に備えて非表示機能を無効にする機能を有している。すなわち、利用者は、「非表示機能を有効にする状態」と「非表示機能を無効にする状態」を選択することができる。これにより、地上アナログ放送停波予定日時が延期されるという不測の事態が生じても、当該事態に対応した適切なタイミングで、アナログ放送用ユーザインターフェイスを非表示とすることが可能である。
【０１０２】
そして、利用者がアナログ放送停波後にアナログ放送関連の設定操作を行うという誤操作を防止できる。その結果、メーカーのお客様相談室への誤操作に伴う「ナンセンスコール」を大幅に削減できることとなる。
<<実施形態３>>
<実施形態３の概要>
【０１０３】
本実施形態の放送受信装置は、実施形態１の放送受信装置を基本として、さらに、非表示機能を停止する機能を有する。現在、地上アナログ放送停波予定日時は、「２０１１年７月２４日」に定められている。しかし、一般家庭へのデジタル放送用放送受信装置の普及が当初見込みより遅れるなどの不測の事態が生じると、前記地上アナログ放送停波予定日時は延期される可能性がある。
【０１０４】
そこで、本実施形態の放送受信装置は、前記の不測の事態などが生じることに備えて、現在定められている地上アナログ放送停波予定日時（２０１１年７月２４日）を経過した場合でも前記非表示機能を停止し、アナログ放送用ユーザインターフェイスをそのまま表示し続けることができる機能を備えている。
【０１０５】
尚、実施形態２の放送受信装置は、地上アナログ放送停波予定日時（２０１１年７月２４日）を経過した場合でも、アナログ放送用ユーザインターフェイスをそのまま表示し続ける機能を備えている点で、本実施形態の放送受信装置と似ている。
【０１０６】
しかし、実施形態２の放送受信装置は非表示機能を「無効にする」機能を備えているが、本実施形態の放送受信装置は、非表示機能を「停止させる」機能を備えている点で異なる。
以下、当該違いを詳細に説明する。  
<実施形態３の機能的構成>
【０１０７】
図７に本実施形態における放送受信装置の機能ブロック図の一例を示す。本実施形態における「放送受信装置」（０７００）は、「日時判断部」（０７０１）と「Ｉ／Ｆ情報保持部」（０７０２）と「表示部」（０７０３）と「制御部」（０７０４）と「判断停止部」（０７０６）を有す。
【０１０８】
「日時判断部」（０７０１）、「Ｉ／Ｆ情報保持部」（０７０２）、「表示部」（０７０３）、「制御部」（０７０４）の機能的構成については、実施形態１と同様であるので、ここでの詳細な説明は省略する。
【０１０９】
「判断停止部」（０７０６）は、日時判断部で地上アナログ放送停波予定日時を経過したかの判断を行なえないようにするよう構成されている。
【０１１０】
制御部は、日時判断部から地上アナログ放送停波予定日時を「経過した」との情報を受けとった後に、アナログ放送用ユーザインターフェイスを表示されないようにする制御を行うよう構成されている。すなわち、制御部は、日時判断部から地上アナログ放送停波予定日時を「経過した」との情報を受けとらない限り、前記制御を行わない。その結果、表示部では、アナログＩ／Ｆ情報に従ってアナログ放送用ユーザインターフェイスを表示すする。日時判断部が、地上アナログ放送停波予定日時を経過したかの判断を行なえないようにする手段は特段制限されない。例えば、判断停止部は、日時判断部に対し、地上アナログ放送停波予定日時を取得できないようにする信号を送るよう構成されていてもよい。また、判断停止部は、日時判断部に対し、現在の年月日時間情報を取り出せないようにする信号を送るよう構成されていてもよい。さらに、判断停止部は、日時判断部に対し、地上アナログ放送停波予定日時と現在の年月日時間を比較できないようにする信号を送るよう構成されていてもよい。判断停止部は、例えば、ＣＰＵやＲＡＭなどにより実現することができる。
【０１１１】
具体的には、例えば、本実施形態の放送受信装置は、非表示機能を「有効にする」と「停止する」を利用者が選択可能である。「有効にする」を選択している場合は、判断停止部は起動しない。一方、「停止する」を選択している場合、当該情報を所定のアドレスに保存する。それ以降、日時判断部が、利用者が放送受信装置の電源を入れるのをトリガーに地上アナログ放送停波予定日時を取り出そうとすると、判断停止部は、所定のアドレスに「停止する」との情報が保存されているため、日時判断部に対し、地上アナログ放送停波予定日時を取り出せないようにする信号を送る。これにより、日時判断部から制御部に対し、地上アナログ放送停波予定日時を経過したとの情報が送られることはない。その結果として、表示部ではアナログＩ／Ｆ情報に従って、アナログ放送用ユーザインターフェイスを表示し続ける。
<実施形態３のハードウェア構成>
【０１１２】
以下、図３を用いて、利用者が非表示機能を「停止する」を選択している場合の本実施形態を実現する手段を説明する。尚、利用者が非表示機能を「有効にする」を選択している場合の本実施形態を実現する手段は、実施形態１と同様であるので、ここでの詳細な説明は省略する。
【０１１３】
まず、利用者がリモコン（０３１９）などの電源ボタンを押下する。すると、リモコン受光部（０３０６）が起動信号を受信し、放送受信装置が起動する。その起動をトリガーとして、「ＣＰＵ」（０３０１）が「不揮発性メモリ」（０３０３）より日時判断プログラムを「ＲＡＭ」（０３０２）のワーク領域に読み出そうとする。しかし、所定のアドレスに非表示機能を「停止する」との情報が保存されているため、日時判断プログラムを取り出すのを妨害する信号が送られる。これにより、日時判断プログラムが取り出されることはなく、実行されない。そして、「ＣＰＵ」（０３０１）は当該結果に従って処理を終了する。
<実施形態３の処理の流れ>
【０１１４】
本実施形態の処理の流れの一例を図８のフローチャートに示す。
【０１１５】
まず、利用者がリモコンなどにより放送受信装置の電源を入れる（Ｓ０８０１）。
【０１１６】
利用者が非表示機能を「有効にする」を選択している場合の処理の流れは、実施形態１と同様であるので、ここでの詳細な説明は省略する（Ｓ０８０５−Ｓ０８０９）。以下、利用者が、非表示機能を「停止する」を選択している場合の処理の流れについて説明する。
【０１１７】
利用者が非表示機能を「停止する」を選択している場合（Ｓ０８０２）、当該情報を判断停止ステップにおいて保存する。そして、それ以降、判断停止ステップにおいて、日時判断ステップで地上アナログ放送停波予定日時を経過したか判断するのを停止させる。
【０１１８】
これにより、今後、利用者がリモコンなどによりアナログ放送用ユーザインターフェイスを表示する操作を行うと（Ｓ０８０３）、アナログ放送用ユーザインターフェイスがそのまま表示される（Ｓ０８０４）。
【０１１９】
尚、アナログ放送用ユーザインターフェイスを非表示にした後は、従来と異なる画面が表示されたことにより利用者が故障したと勘違いする可能性がある。そこで、アナログ放送用ユーザインターフェイスが非表示となった空白部分に一定期間「アナログ放送停波に伴いアナログ放送用ユーザインターフェイスを自動的に非表示にしました」などのアナウンスを表示してもよい。
<実施形態３の効果>
【０１２０】
本実施形態の放送受信装置により、アナログ放送停波後、自動的に画面上からアナログ放送用ユーザインターフェイスを非表示とすることが可能である。これにより、利用者に過度の負担をかけずに、利用者が利用しやすいメニュー画面などを提供することが可能となる。
【０１２１】
また、本実施形態の放送受信装置は、地上アナログ放送停波予定日時が延期される場合に備えて非表示機能を無効にする機能を有している。すなわち、利用者は、「非表示機能を有効にする状態」と「非表示機能を停止する状態」を選択することができる。これにより、地上アナログ放送停波予定日時が延期されるという不測の事態が生じても、当該事態に対応した適切なタイミングで、アナログ放送用ユーザインターフェイスを非表示とすることが可能である。
【０１２２】
これにより、利用者がアナログ放送停波後にアナログ放送関連の設定操作を行うという誤操作を防止できる。その結果、メーカーのお客様相談室への誤操作に伴う「ナンセンスコール」を大幅に削減できることとなる。
<<実施形態４>>
<実施形態４の概要>
【０１２３】
本実施形態の放送受信装置は、実施形態１から３のうち一つの放送受信装置を基本とし、さらに、自動的にアナログ放送用ユーザインターフェイスを非表示にする機能を一定期間無効にする機能を有する。
【０１２４】
現在、地上アナログ放送停波予定日時は、「２０１１年７月２４日」に定められている。しかし、一般家庭へのデジタル放送用放送受信装置の普及が当初見込みより遅れるなどの事態により、前記地上アナログ放送停波予定日時は延期される可能性がある。
【０１２５】
そこで、本実施形態の放送受信装置は、地上アナログ放送停波予定日時を経過後で、さらに一定期間経過後に、自動的にアナログ放送用ユーザインターフェイスを非表示にする機能を備えていることを特徴とする。
【０１２６】
これにより、利用者は地上アナログ放送停波予定日時が変更されるかどうかに対応して、非表示機能を「有効にする」と「一定期間経過後有効にする」を選択可能である。
<実施形態４の機能的構成>
【０１２７】
図９に本実施形態における放送受信装置の機能ブロック図の一例を示す。本実施形態における「放送受信装置」（０９００）は、と「Ｉ／Ｆ情報保持部」（０９０２）と「表示部」（０９０３）と「制御部」（０９０４）と「制御猶予期間情報保持部」（０９０７）を有す。
【０１２８】
「日時判断部」（０９０１）、「Ｉ／Ｆ情報保持部」（０９０２）、「表示部」（０９０３）、の機能的構成については、実施形態１と同様であるので、ここでの詳細な説明は省略する。
【０１２９】
「制御猶予期間情報保持部」（０９０７）は、制御猶予期間情報を保持するよう構成されている。地上アナログ放送停波日時は、予定日より延期される可能性がある。かかる場合、利用者は地上アナログ放送停波予定日時経過後、さらに一定期間（例えば１年）経過後に非表示機能を実行させるよう希望する場合がある。そこで、制御猶予期間情報保持部は、利用者が入力した制御猶予期間情報を取得し保持するよう構成されている。ここで、利用者が入力する制御猶予期間情報としては、特段制限されない。例えば、１年間などと期間を定めて入力してもよい。または、新たに定まった変更後の地上アナログ放送停波予定日時（例えば、２０２０年１月１日）を入力するようにしてもよい。尚、制御猶予期間情報保持部が、変更後の地上アナログ放送停波予定日時を取得するように構成されている場合、日時判断部は、変更後の地上アナログ放送停波予定日時を経過したか判断できるように構成されていてもよい。制御猶予期間情報保持部は、例えば、不揮発性メモリやＨＤＤなどの記憶媒体などで実現することができる。
【０１３０】
具体的には、例えば、地上アナログ放送停波予定日時が延期されると、利用者が非表示機能を「一定期間経過後有効にする」を選択し、制御猶予期間情報（例えば、１年）を入力する。すると、制御猶予期間情報保持部は、入力された制御猶予期間情報を取得し保存する。
【０１３１】
本実施形態の「制御部」（０９０４）は、実施形態１から３のうちの一つの構成を基本とし、さらに、日時判断部での判断結果が経過したとの判断結果である場合でも、制御猶予期間が経過するまでアナログ放送用ユーザインターフェイスを非表示にする為の制御部での処理を行わないようにする猶予手段を備えている。制御部は、利用者が非表示機能を「一定期間経過後有効にする」を選択している場合、当該情報を取得し所定のアドレスに保存するよう構成されている。そして、制御部は、前記情報が所定のアドレスに保存されている場合は、制御信号を送れないように構成されていてもよい。そして、制御猶予期間経過後、所定のアドレスに保存している前記情報を消去するよう構成されていてもよい。これにより、制御部は、制御信号をＩ／Ｆ情報保持部または表示部に対して送ることができるようになる。そして、表示部でアナログ放送用ユーザインターフェイスが表示されなくなる。ここで、制御部は制御猶予期間を経過したとの情報を取得するように構成されている。取得する手段としては特段制限されない。例えば、日時判断部が制御猶予期間を経過したか判断できるように構成されており、制御部は日時判断部より制御猶予期間を経過したとの情報を取得するよう構成されていてもよい。または、制御部が制御猶予期間を経過したか判断できるように構成されていてもよい。この場合、制御部は制御猶予期間情報保持部より制御猶予期間情報を取得するよう構成されている。制御部は、例えば、ＣＰＵやＲＡＭなどにより実現することができる。
【０１３２】
具体的には、例えば、本実施形態の放送受信装置は、非表示機能を「有効にする」と「一定期間経過後有効にする」を利用者が選択可能である。「一定期間経過後有効にする」を選択する場合、制御猶予期間（例えば１年）を入力する必要がある。「有効にする」を選択している場合、制御部は実施形態１で説明したのと同様に起動する。
【０１３３】
一方、「一定期間経過後有効にする」を選択している場合、制御部は当該情報を所定のアドレスに保存する。それ以降、所定のアドレスに「一定期間経過後有効にする」を選択しているとの情報が保存されているので、制御信号をＩ／Ｆ情報保持部または表示部に対して送ることはない。その後、日時判断部より地上アナログ放送停波予定日時を「経過した」との情報を受けとると、制御猶予期間情報保持部より制御猶予期間情報を取得する。そして、制御猶予期間を経過したか判断する。制御猶予期間を経過したと判断すると、所定のアドレスに保存している前記情報を消去する。これ以降、制御部はＩ／Ｆ情報保持部または表示部に対して制御信号を送ることができるようになる。そして、表示部でアナログ放送用ユーザインターフェイスが表示されなくなる。
<実施形態４のハードウェア構成>
【０１３４】
以下、図３を用いて、利用者が非表示機能を「一定期間経過後有効にする」を選択している場合の本実施形態を実現する手段を説明する。尚、利用者が非表示機能を「有効にする」を選択している場合の本実施形態を実現する手段は、実施形態１と同様であるので、ここでの詳細な説明は省略する。
【０１３５】
まず、利用者がリモコン（０３１９）などの電源ボタンを押下する。すると、リモコン受光部（０３０６）が起動信号を受信し、放送受信装置が起動する。その起動をトリガーとして、「不揮発性メモリ」（０３０３）より日時判断プログラムが「ＲＡＭ」（０３０２）のワーク領域に読み出される。「ＣＰＵ」（０３０１）はプログラムに従って、予め「不揮発性メモリ」（０３０３）に格納されている地上アナログ放送停波予定日時情報、例えば「２０１１年７月２４日」を「ＲＡＭ」（０３０２）のアドレス１に読み出す。
【０１３６】
つづいて、「デジタルチューナ部」（０３０５）にて受信したデジタル放送用電波に含まれる現在の年月日時間情報を分離・抽出して、「ＲＡＭ」（０３０２）のアドレス２に格納する。そして、アドレス1に格納されている地上アナログ放送停波予定日時情報「２０１１年７月２４日」と、アドレス2に格納されている現在の年月日時間情報の大小比較を「ＣＰＵ」（０３０１）の演算処理にて行う。
【０１３７】
例えば、現在の年月日時間情報が「２００７年４月１日」の場合、地上アナログ放送停波予定日時の方が大きいので、経過していないとの判断結果が出力される。その判断結果に応じて、「ＣＰＵ」（０３０１）は処理を終了する。
【０１３８】
一方、現在の年月日時間情報が「２０１１年８月１日」の場合、現在の年月日時間情報の方が地上アナログ放送停波予定日時「２０１１年７月２４日」より大きいので、「経過した」との判断結果が出力され、当該情報が不揮発性メモリ（０３０３）に保存される。しかし、利用者は非表示機能を「一定期間経過後有効にする」を選択しているので、当該情報が「不揮発性メモリ」（０３０３）に保存されている。よって、その後、利用者がリモコン（０３１９）などによりユーザインターフェイスを表示する操作をすると、制御信号を送る制御プログラムは取り出されず、「不揮発性メモリ」（０３０３）よりアナログＩ／Ｆ情報を含むＩ／Ｆ情報が取り出される。そして、「ＣＰＵ」（０３０１）は、アナログＩ／Ｆ情報に従って、アナログ放送用ユーザインターフェイスを表示する。
【０１３９】
尚、「ＣＰＵ」（０３０１）は、地上アナログ放送停波予定日時を「経過した」との情報を所定のアドレスに保存した後、「不揮発性メモリ」（０３０３）より制御猶予期間情報を取り出し、制御猶予期間を経過していないか判断する。そして、制御猶予期間を経過したと判断すると、所定のアドレスに保存している「一定期間経過後有効にする」を選択しているとの情報を消去する。これ以降、利用者がリモコン（０３１９）などによりユーザインターフェイスを表示する操作をすると、「不揮発性メモリ」（０３０３）より、制御信号を送る制御プログラムと、アナログＩ／Ｆ情報を含むＩ／Ｆ情報を取り出すようになる。そして、制御プログラムが起動され制御信号を送り、アナログＩ／Ｆ情報に従った処理の一部または全部が制御信号により制御されることとなる。結果として、アナログ放送用ユーザインターフェイスが画面上に表示されなくなる。
<実施形態４の処理の流れ>
【０１４０】
本実施形態の処理の流れの一例を図１０のフローチャートに示す。
【０１４１】
まず、利用者がリモコンなどにより放送受信装置の電源を入れる（Ｓ１００１）。すると、日時判断ステップにおいて、地上アナログ放送停波予定日時を経過したか判断する（Ｓ１００２）。
【０１４２】
前記日時判断ステップでの判断が、「地上アナログ放送停波予定日時を経過していない」であれば（Ｓ１００３）、本実施形態の処理は終了する。その後、利用者がアナログ放送用インターフェイスを表示するよう操作すると（Ｓ１００４）、画面にアナログ放送用インターフェイスが表示される（Ｓ１００５）。
【０１４３】
一方、前記日時判断ステップでの判断が、「地上アナログ放送停波予定日時を経過している」であれば（Ｓ１００３）、制御ステップに進む。
【０１４４】
制御ステップでは、前記経過しているとの情報を保存する（Ｓ１００６）。
【０１４５】
利用者が非表示機能を「有効にする」を選択している場合は（Ｓ１００７）、今後、表示ステップにてアナログ放送用ユーザインターフェイスを表示できないように制御する。その結果、アナログ放送用ユーザインターフェイスが非表示になる。
【０１４６】
その後、利用者がアナログ放送用インターフェイスを表示するよう操作しても（Ｓ１００８）、画面にアナログ放送用インターフェイスは表示されない（Ｓ１００９）。
【０１４７】
一方、利用者が非表示機能を「一定期間経過後有効にする」を選択している場合は（Ｓ１００７）、表示ステップではアナログＩ／Ｆ情報に従ってアナログ放送用ユーザインターフェイスをそのまま表示し続ける。
【０１４８】
その後、制御ステップにて制御猶予期間を経過したとの情報を取得すると（Ｓ１０１０）｜、表示ステップでのアナログ放送用ユーザインターフェイスの表示を制御する。その結果、アナログ放送用ユーザインターフェイスが非表示になる。
【０１４９】
その後、利用者がアナログ放送用インターフェイスを表示するよう操作しても（Ｓ１０１１）、画面にアナログ放送用インターフェイスは表示されない（Ｓ１０１２）。
【０１５０】
尚、アナログ放送用ユーザインターフェイスを非表示にした後は、従来と異なる画面が表示されたことにより利用者が故障したと勘違いする可能性がある。そこで、アナログ放送用ユーザインターフェイスが非表示となった空白部分に一定期間「アナログ放送停波に伴いアナログ放送用ユーザインターフェイスを自動的に非表示にしました」などのアナウンスを表示してもよい。
<実施形態４の効果>
【０１５１】
本実施形態の放送受信装置により、アナログ放送停波後、自動的に画面上からアナログ放送用ユーザインターフェイスを非表示とすることが可能である。これにより、利用者に過度の負担をかけずに、利用者が利用しやすいメニュー画面などを提供することが可能となる。
【０１５２】
また、本実施形態の放送受信装置は、地上アナログ放送停波予定日時が延期される場合に備えて非表示機能を一定期間無効にする機能を有している。すなわち、利用者は、「非表示機能を有効にする状態」と「非表示機能を一定期間経過後有効にする状態」を選択することができる。これにより、地上アナログ放送停波予定日時が延期されるという不測の事態が生じても、当該事態に対応した適切なタイミングで、アナログ放送用ユーザインターフェイスを非表示とすることが可能である。
【０１５３】
これにより、利用者がアナログ放送停波後にアナログ放送関連の設定操作を行うという誤操作を防止できる。その結果、メーカーのお客様相談室への誤操作に伴う「ナンセンスコール」を大幅に削減できることとなる。
<<実施形態５>>
<実施形態５の概要>
【０１５４】
本実施形態の放送受信装置（１１００）は、「ダウンロード部」（１１０１）と「インストール部」（１１０２）を有することを特徴とする。すなわち、商品出荷時に前記日時判断部、制御部などを有していなくても、これらの機能により、前記日時判断部、制御部などを備えることを可能にする。
【０１５５】
これにより、地上アナログ放送停波日経過後、実施形態１から４のうちの一つと同様の手段で、自動的に不要となったアナログ放送用ユーザインターフェイスを非表示とすることが可能である。
<実施形態５の機能的構成>
【０１５６】
図１１は、本実施形態の放送受信装置の機能ブロックの一例を表す図である。この図にあるように、本実施形態における「放送受信装置」（１１００）は、「ダウンロード部」（１１０１）と「インストール部」（１１０２）を有す。
【０１５７】
以下、本実施形態の「ダウンロード部」（１１０１）と「インストール部」（１１０２）の機能について説明する。
【０１５８】
「ダウンロード部」は、日時判断部、制御部などを構成するためのプログラムをダウンロードできるよう構成されている。ダウンロードする手段としては特段制限されない。例えば、インターネットを介して通信によりダウンロードしてもよい。または、デジタル放送波に含まれるプログラムをダウンロードしてもよい。さらには、アナログ放送波に含まれるプログラムをダウンロードしてもよい。かかる場合は、本実施形態の放送受信装置は、アナログ信号をデジタル信号に変換できるモデムを内部に有しており、それによりアナログ放送波に含まれるプログラムをダウンロードすることを実現してもよい。ダウンロード部は、例えば、電話回線、ＬＡＮ、デジタルチューナなどにより実現できる。
【０１５９】
具体的には、例えば、まず利用者がリモコンなどによるダウンロード指示をする。ダウンロード部は、当該指示に従い、電話回線などを利用してインターネットより前記「日時判断部」、「制御部」などのプログラムファイルを取得する。尚、ここでダウンロードするプログラムファイルは「日時判断部」、「制御部」に限定されず、利用者の選択により「無効化部」、「判断停止部」、「制御猶予期間保持部」、などをダウンロードすることも可能である。
【０１６０】
「インストール部」は、ダウンロードされたプログラムをインストールして、日時判断部、制御部などを構成できるよう構成されている。インストール部は、例えば、ＣＰＵなどにより実現できる。
【０１６１】
具体的には、ダウンロードされ不揮発性メモリなどの記憶媒体に保管されているプログラムファイルをＣＰＵの指示により展開する。そして、必要であれば適当なアドレスに保存するなどして、当該プログラムを実行可能な状態にする。
【０１６２】
尚、インストール部は、前記ダウンロード部によりダウンロードされたプログラムファイルのみならず、ＣＤ−ＲＯＭなどにより取得した「日時判断部」、「制御部」などのプログラムファイルも展開し、実行可能にすることができてもよい。
【０１６３】
<実施形態５のハードウェア構成>
【０１６４】
以下、図３のハードウェアで本実施形態を実現する手段の一例を説明する。
【０１６５】
まず、利用者が「リモコン」（０３１９）などによりダウンロード操作を行う。すると、「リモコン受光部」（０３０６）が当該信号を受信する。当該信号をトリガーに「ＣＰＵ」（０３０１）は、「通信制御部」（０３２０）の電話回線やＬＡＮ、または、「デジタルチューナ部」（０３０５）のデジタルチューナより、要求されたプログラムファイルを取得する。取得されたプログラムファイルは、「不揮発性メモリ」（０３０３）に保存される。
【０１６６】
その後、利用者が「リモコン」（０３１９）などによりインストール操作を行うと、「リモコン受光部」（０３０６）が当該信号を受信する。当該信号をトリガーに「ＣＰＵ」（０３０１）はその指示に従って、「不揮発性メモリ」（０３０３）よりダウンロードしたプログラムファイルを取り出す。そして、当該プログラムを展開し実行可能にする。
【０１６７】
このように、本放送受信装置内に日時判断部、制御部などを構成し、実行可能となる。
<実施形態５の処理の流れ>
本実施形態の処理の流れの一例を図１２のフローチャートに示す。
【０１６８】
まず、利用者がリモコンなどによりダウンロード操作を行う（Ｓ１２０１）。すると、ダウンロードステップにおいて、日時判断部、制御部などのプログラムファイルをダウンロードする（Ｓ１２０２）。
【０１６９】
次に、利用者がリモコンなどによりインストール操作を行う（Ｓ１２０３）。すると、インストールステップにおいて、日時判断部、制御部などのプログラムファイルをインストールし実行可能にする（Ｓ１２０４）。
<実施形態５の効果>
【０１７０】
商品出荷段階で前記日時判断部、制御部などの機能を有していない放送受信装置においても、本実施形態のようにダウンロード部、及び、インストール部を有していれば、後から前記日時判断部、制御部などの機能を加えることができる。
【０１７１】
これにより、アナログ放送停波後、実施形態１から４のうちの一つと同様の手段で、自動的にアナログ放送用ユーザインターフェイスを非表示とすることが可能である。そして、利用者に過度の負担をかけずに、利用者が利用しやすいメニュー画面などを提供することが可能となる。
【０１７２】
これにより、利用者がアナログ放送停波後にアナログ放送関連の設定操作を行うという誤操作を防止できる。その結果、メーカーのお客様相談室への誤操作に伴う「ナンセンスコール」を大幅に削減できることとなる。
【図面の簡単な説明】
【０１７３】
【図１】本放送受信装置の効果を示す一例
【図２】実施形態１の機能ブロック図
【図３】本放送受信装置のハードウェア構成機能ブロック図の一例
【図４】実施形態１の処理の流れを示すフローチャート
【図５】実施形態２の機能ブロック図
【図６】実施形態２の処理の流れを示すフローチャート
【図７】実施形態３の機能ブロック図
【図８】実施形態３の処理の流れを示すフローチャート
【図９】実施形態４の機能ブロック図
【図１０】実施形態４の処理の流れを示すフローチャート
【図１１】実施形態５の機能ブロック図
【図１２】実施形態５の処理の流れを示すフローチャート
【符号の説明】
【０１７４】
０３０１    ＣＰＵ
０３０２    ＲＡＭ
０３０３    不揮発性メモリ
０３０４    アナログチューナ部
０３０５    デジタルチューナ部
０３０６    リモコン受光部
０３０７    液晶表示パネル
０３０８    ＡＶスイッチ部
０３０９    デジタル復調部
０３１０    分離部
【図１】
2008301229.tif 000003
【図２】
2008301229.tif 000004
【図３】
2008301229.tif 000005
【図４】
2008301229.tif 000006
【図５】
2008301229.tif 000007
【図６】
2008301229.tif 000008
【図７】
2008301229.tif 000009
【図８】
2008301229.tif 000010
【図９】
2008301229.tif 000011
【図１０】
2008301229.tif 000012
【図１１】
2008301229.tif 000013
【図１２】
2008301229.tif 000014